(57)【特許請求の範囲】
【請求項１】
下端をベース板で閉鎖して所定の容積を有するように高さを設定した円筒状の基筒と、この基筒と同径で基筒よりも長尺の円筒状に形成され、基筒の上端に水密状態で着脱可能に継ぎ足す接続筒とからなり、上記接続筒は透明で、少なくとも接続筒には基筒の内底を基準として長さ方向に容積目盛りが施されている発泡コンクリートの品質テスト用計量容器。
【発明の詳細な説明】
【０００１】
【発明の属する技術分野】
この発明は、流動性に乏しい部材と流動性のある部材を所定の比率で混合するために用いて便利な計量容器に関する。
【０００２】
【従来の技術】
例えば、発泡コンクリートの製造において、セメントに対する発泡剤の混合比によって発泡状態が変化し、得られる発泡コンクリートの重量や強度に差が生じる。
【０００３】
このため、発泡コンクリートの製造時は、得ようとする発泡コンクリートの条件に合わせ、セメントに対して定められた量の発泡剤を混合した試材を作成し、定量に計量したこの試材に所定量の水とアルコールを加え、これを攪拌混合することにより発泡剤を気泡化させ、これを静置して気泡を放散させることにより、沈降したセメント量から発泡条件を把握し、試材のセメントと発泡剤を混合比が得ようとする発泡コンクリートの条件に適応しているか否かの判断をする品質テストを行う必要がある。
【０００４】
従来、上記のようなテストを行うには、図２（Ｂ）で示すような計量容器が使用されていた。この計量容器１は、一般にメスシリンダと称されるものであり、ベース板２上に円筒体３を立設した透明なガラスや合成樹脂製で、円筒体３の長さ方向に容積目盛り４が施された構造になっている。
【０００５】
この計量容器１を用い、上記した発泡コンクリートの品質テストを行うには、先ず、円筒体３内にセメントと発泡剤及び水を混合した試材を所定量、例えば２００ｍｍ／ｃｃを充填し、次に同量のアルコールと半分量の水を加え、これを攪拌混合した後、沈降した水位量を容積目盛り４で確認するものである。
【０００６】
【発明が解決しようとする課題】
ところで、セメントと発泡剤及び水を混合した試材は流動性に乏しく、液切れ状態が非常に悪いため、このような流動性に乏しい試材を、容積目盛４を見ながら定量になるよう、上下に長くて細い円筒体３の中へ上端から注ぎ込むのは非常に困難であり、どうしても試材の充填量に過不足が生じ、品質テストの精度を低下させる原因になっている。
【０００７】
そこで、この発明の課題は、流動性に乏しい部材の計量が簡単かつ正確に行え、この流動性に乏しい部材と流動性のある部材の混合比を正確に計量することができる計量容器を提供することにある。
【０００８】
【課題を解決するための手段】
上記のような課題を解決するため、この発明は、下端をベース板で閉鎖して所定の容積を有するように高さを設定した円筒状の基筒と、この基筒と同径で基筒よりも長尺の円筒状に形成され、基筒の上端に水密状態で着脱可能に継ぎ足す接続筒とからなり、上記接続筒は透明で、少なくとも接続筒には基筒の内底を基準として長さ方向に容積目盛りが施されている構成を採用したものである。
【０００９】
上記基筒と接続筒は、ガラスや合成樹脂のような透明材料を用い、基筒は下端にベース板を備えた円筒状で所定の内部容量を有するように高さが設定され、内部に充填した流動性に乏しい部材を、この基筒の上端縁に沿って枡切りして計量することにより、正確な計量が行えるようになっている。
【００１０】
また、基筒と接続筒の接続は、基筒の上端部外周面に周設した段部と、接続筒の下端内周面に周設した段部との圧入による嵌め合わせによって行い、この圧入による嵌め合わせによって、接続部分の水密を保つことができる。
【００１１】
【発明の実施の形態】
以下、この発明の実施の形態を図示例と共に説明する。
【００１２】
図１に示すように、この発明の計量容器１１は、所定の容積に設定した基筒１２と、この基筒１２の上端に着脱可能に継ぎ足す接続筒１３とからなり、基筒１２と接続筒１３は、ガラスや合成樹脂のような透明材料を用い、基筒１２は下端にベース板１４を備えた円筒状で所定の内部容量を有するように高さが設定され、また、接続筒１３は、基筒１２と同径の円筒状で上下に長く、その上端に注ぎ口１５が設けてある。従って、基筒１２は、必要な容積が得られるように、その高さを設定すればよく、枡切りによって計量できるので、不透明材料で形成してもよい。
【００１３】
上記基筒１２と接続筒１３には、基筒１２の内底を基準として、長さ方向に容積目盛り１６が連続して施されていると共に、この容積目盛り１６には、読取用の数字が付記してあり、また、基筒１２と接続筒１３の接続構造は、基筒１２の上端部外周面に周設した段部１７と、接続筒１３の下端内周面に周設した段部１８との圧入による嵌め合わせによって行っている。なお、基筒１２は容積が決定されているので、容積を示す数字だけを設けて目盛りを省くようにしてもよい。
【００１４】
この接続構造は、図示の場合、ストレートの嵌め合わせとしたが、テーパ状の嵌め合わせにしてもよく、何れにしても、接続部分は圧入嵌合により水密が得られるようになっている。
この発明の計量容器は、上記のような構成であり、次にその使用方法を説明する。
【００１５】
この計量容器１１は、例えば、得ようとする発泡コンクリートの条件に適応しているか否かの判断をする品質テストを行うために用いるものであり、先ず、水を加えたセメント又はモルタルに対して定められた量の発泡剤を混合した試材Ａを作成する。発泡剤としては、動物性タンパク質等、既存のコンクリート用発泡剤を使用すればよい。
【００１６】
図１（Ｂ）のように、接続筒１３を外した基筒１２内に上記試材Ａを充填し、この基筒１２の上端縁に沿って枡切りして計量することにより、正確な計量が行える。即ち、基筒１２は短尺であり、しかも、枡切りして計量することにより、試材Ａの充填が定量供給を考慮することなく行え、試材Ａの充填作業が極めて簡単になる。
【００１７】
次に、図１（Ａ）のように、基筒１２の上端に接続筒１３を接続し、接続筒１３の上端から試材Ａと同量のアルコールＢと、試材Ａの半分量の水Ｃとを注入する。このアルコールＢと水Ｃは流動性に優れ、液切れ性が良いので、接続筒１３の容積目盛り１６を見ながら正確に所定量を注入することができる。
【００１８】
このようにして、試材ＡとアルコールＢ及び水Ｃを充填したら、接続筒１３の上端を手で塞ぐ等して計量容器１１を振り、試材ＡとアルコールＢ及び水Ｃを混合攪拌することにより、空気との混合で発泡剤を気泡化させ、これを静置して気泡を放散させることにより、図２（Ａ）のように、気泡の放散量だけ沈降した水位量から発泡条件を把握し、試材Ａのセメントと発泡剤を混合比が得ようとする発泡コンクリートの条件に適応しているか否かの判断をするものである。
【００１９】
【発明の効果】
以上のように、この発明によると、所定の容積に設定した基筒の上端に接続筒を着脱可能に継ぎ足すようにし、この接続筒には長さ方向に容積目盛りを施したので、流動性に乏しい部材と流動性のある部材を所定の比率で混合する発泡コンクリートの品質テストを実施する場合に、流動性に乏しい部材を基筒で計量することにより、基筒は短尺であり、しかも、枡切りして計量することにより、流動性に乏しい部材の充填が定量供給を考慮することなく行え、これにより、流動性に乏しい部材と流動性のある部材の計量作業が簡単かつ能率的に行え、発泡コンクリートの品質テストにおいて、高精度の混合比が得られることになる。
【図面の簡単な説明】
【図１】（Ａ）はこの発明の計量容器を示す部材充填状態の一部切り欠き縦断正面図、（Ｂ）は基筒に充填した部材を枡切りによって計量した状態の一部切り欠き縦断正面図
【図２】（Ａ）はこの発明の計量容器に充填した部材を攪拌した後の状態を示す一部切り欠き縦断正面図、（Ｂ）は従来の計量容器を示す正面図
【符号の説明】
１１  計量容器
１２  基筒
１３  接続筒
１４  ベース板
１５  注ぎ口
１６  容積目盛り
１７  段部
１８  段部
【図１】
0003699382.tif 000002
【図２】
0003699382.tif 000003